【手続補正書】
【提出日】平成16年3月5日(2004.3.5)
【手続補正１】
【補正対象書類名】明細書
【補正対象項目名】全文
【補正方法】変更
【補正の内容】
【発明の名称】遊技機
【特許請求の範囲】
【請求項１】複数の構成部品が各所に配設された遊技盤を有する遊技機において、
前記構成部品が配設される遊技盤の表面には剥離可能な保護フィルムが形成されていることを特徴とする遊技機。
【請求項２】前記保護フィルムは、前記遊技盤の表面に構成部品が配設されていても容易に剥離できるような切り込み部を有していることを特徴とする請求項１記載の遊技機。
【発明の詳細な説明】
【０００１】
【発明の属する技術分野】本発明は、パチンコ機などの遊技機に関し、特に、長期間使用しても美観を維持することができると共に、営業用としての使用が終了した場合には、所望の構成部品を取り外して、新規に製作される遊技機に再利用することができる遊技機に関するものである。
【０００２】
【従来の技術】近年、ゴミの減量化が大きな社会問題となっており、リサイクルの重要性が以前にも増して高まっている。パチンコ機などの遊技機には、液晶パネルユニットなど、高価な構成部品が多数使用されているが、通常、これらの構成部品のほとんどは使い捨てであり、遊技機が廃棄される際に一緒に廃棄処分されている。そこで、今までは廃棄されていたこれらの構成部品を既設の遊技機から取り外して、新規に製作される遊技機に再利用することによって、廃棄物の減量化を推し進めると共に、高価な構成部品の有効利用を図ることが望まれる。
【０００３】
【発明が解決しようとする課題】しかしながら、長期間使用された遊技機から構成部品を取り外しても、その構成部品の表面には打球（遊技球）などの接触によって傷が付いていたり、タバコのヤニなどの汚れが付着していたりする。よって、これらの構成部品を既設の遊技機から取り外して、新規に製作される遊技機に再利用することはできないという問題点がある。
【０００４】
また、特定の遊技機が人気機種となった場合、その遊技機は長期にわたって使用される傾向にある。しかし、かかる場合には、遊技盤の表面など、打球（遊技球）が接触する箇所は特に激しく傷むので、遊技盤の表面に印刷された文字や模様がかすれて、遊技機全体の美観が損われてしまうという問題点がある。
【０００５】
本発明は上述した問題点を解決するためになされたものであり、長期間使用しても美観を維持することができると共に、営業用としての使用が終了した場合には、所望の構成部品を取り外して、その構成部品を新規に製作される遊技機に再利用することができる遊技機を提供することを目的としている。
【０００６】
【課題を解決するための手段】この目的を達成するために請求項１記載の遊技機は、複数の構成部品が各所に配設された遊技盤を有しており、前記構成部品が配設される遊技盤の表面には剥離可能な保護フィルムが形成されている。
【０００７】
請求項２記載の遊技機は、請求項１記載の遊技機において、前記保護フィルムは、前記遊技盤の表面に構成部品が配設されていても容易に剥離できるような切り込み部を有している。
【０００８】
【発明の実施の形態】以下、本発明の好ましい実施例について、添付図面を参照して説明する。図１は、本発明の一実施例であるパチンコ遊技機１の正面図である。このパチンコ遊技機１は、いわゆる第１種パチンコ遊技機であり、その前面（図１の紙面に対して手前側）には前面枠２が配設されている。この前面枠２は、略矩形額縁状に形成されており、その内側の上方には遊技盤３が配置されている。
【０００９】
遊技盤３の前面には略円弧状の外レール４が植立され、その外レール４の内側位置には円弧状の内レール５が植立されている。この内レール５および外レール４により囲まれた遊技盤３の前面には、打球（遊技球）Ｐが打ち込まれる遊技領域６が形成されている。遊技領域６内には、複数の障害釘１２が植立されると共に、打球Ｐが入賞することにより５個から１５個の球が賞球として払い出される複数の入賞口７が設けられている。
【００１０】
この複数の入賞口７が設けられた遊技領域６の略中央部分には、複数種類の識別情報としての図柄などを表示する液晶（ＬＣＤ）パネルユニット８を備えた可変表示装置９が設けられている。この可変表示装置９の液晶パネルユニット８の手前側周囲には、可変表示装置９の装飾部材を兼ねたセンターフレーム９ａが周設されており、このセンターフレーム９ａにより液晶パネルユニット８の周囲が装飾されている。尚、液晶パネルユニット８の詳細については後述する。
【００１１】
可変表示装置９の下方には、図柄作動口（第１種始動口）１０が設けられている。図柄作動口１０を打球Ｐが通過することにより、可変表示装置９の変動表示が開始される。また、図柄作動口１０の下方には、可変表示装置９に表示される図柄の組み合わせ（大当たり表示）によって開放される可変入賞装置（大入賞口）１１が配設されている。
【００１２】
可変入賞装置１１の下方であって、上述した遊技領域６の最下方には、いずれの入賞口にも入賞しなかった打球Ｐを遊技領域６外へ排出するためのアウト口１３が形成されている。このアウト口１３の形成された遊技領域６の下方には、前面扉板（腰板）１４が配設されている。この前面扉板１４の前面には打球Ｐを貯留し、かつ、打球発射装置（図示せず）へ打球Ｐを供給する上皿１５が配設され、その上皿１５の下方であって、前面枠２の下側部分には上皿１５に貯留しきれなかった打球Ｐを貯留するための下皿１６が配設されている。また、下皿１６の右側部分には、打球Ｐを遊技領域６へ打ち込むために遊技者により操作される操作ハンドル１７が配設されている。
【００１３】
図２は、遊技盤３から取り外された液晶パネルユニット８の外観斜視図である。図２に示すように、液晶パネルユニット８は、その前方（図２の手前側）に複数種類の図柄などを表示するための液晶モジュール２０が配設され、その液晶モジュール２０の後部には、表示の制御を行う液晶制御基板（図示せず）などを被包する液晶ボックス２１が取り付けられている。液晶モジュール２０は、液晶と偏光板とを組み合わせて構成された液晶パネル２２と、その液晶パネル２２が取り付けられるフレーム２３とにより構成されている。液晶パネル２２は、その前面に平面状の表示画面２２ａが形成され、この表示画面２２ａに各種画像が表示される。
【００１４】
表示画面２２ａの前面には、保護フィルムＡ（図２中の網掛け部分）が貼付されている。本実施例における保護フィルムＡは、合成樹脂によって薄い膜状に形成された基材フィルムと、その基材フィルムの裏面に形成されると共に、基材フィルムを被着体（各構成部品）の表面に粘着させるための粘着剤を備えた粘着剤層とから構成されている。なお、かかる構成の保護フィルムＡに代えて、塗布後に膜を形成する液状のコーティング剤を直接被着体（各構成部品）の表面に塗布することによって保護フィルムを形成しても良い。かかる方式によれば、複雑な凹凸面や曲面を有する構成部品にも容易に保護フィルムを形成することができる。
【００１５】
さらに、本実施例の保護フィルムＡは、基材フィルムと粘着剤層とを交互に重ね合わせることによって、多層に形成されている。このように保護フィルムＡが多層に形成されているので、パチンコ遊技機１が営業用として使用に供されている間、数回にわたって保護フィルムＡを剥がすことができる。よって、構成部品の表面に付着した汚れを頻繁に取り除くことができるので、長期間にわたってパチンコ遊技機１の美観を保つことができる。
【００１６】
なお、保護フィルムＡは、必ずしも多層に形成する必要はなく、単層に形成しても良い。特に、液晶パネルユニット８の表示画面２２ａには、打球（遊技球）Ｐが衝突（接触）することはほとんどないので、単層の保護フィルムＡであっても、表示画面２２ａの表面を十分保護することができる。このように、保護フィルムＡを貼付する構成部品に応じて、単層の保護フィルムＡを使用することにより、保護フィルムＡのコストを低減することができる。
【００１７】
保護フィルムＡに必要な性能としては、表示画面２２ａに映し出される各種画像を違和感なく視認できるだけの透明性が確保されていること、長期間使用しても透明性が損なわれないこと、被着体（各構成部品）に貼付した後の粘着力が一定であること、剥離時に破断しないだけの強度を有していること、剥離後に被着体表面に粘着剤が残留しないこと、打球Ｐが頻繁に接触しても傷まない耐摩耗性があること、耐水性・耐油性があることなどが挙げられる。
【００１８】
被着体に保護フィルムＡを貼付した後に、粘着力が一定である必要があるのは、第一に保護フィルムＡの貼付後の浮き剥がれを防止するためである。貼付後、保護フィルムＡの粘着力が低下して浮き剥がれが生じると、打球Ｐがその浮き剥がれ部分に接触して、打球Ｐの進路が変更され、遊技者に不快感を与えるからである。第二に、保護フィルムＡを剥離する際には、剥離する保護フィルムＡを容易に被着体、若しくは下層の保護フィルムＡと分離させる必要があるからである。貼付後、保護フィルムＡの粘着力が増加してしまうと、被着体、若しくは下層の保護フィルムＡに強固に粘着することによって、剥離時に保護フィルムＡが破断したり、剥離後の被着体表面に粘着剤が残留したりする。被着体表面に粘着剤が残留すると、その粘着剤に汚れが付着して美観を著しく損なうだけでなく、打球Ｐの進路がその粘着剤の付着部分によって変更されるからである。以上のような理由から、被着体に貼付した後の保護フィルムＡの粘着力は一定であることが望ましい。
【００１９】
保護フィルムＡに必要な上記の性能を考慮すると、基材フィルムに用いられる材質としては、ポリエステル系、ポリエチレン系、ポリプロピレン系、ビニル系、ポリアミド系、ポリイミド系の樹脂が好ましい。また、粘着剤層は、アクリル系粘着剤、または、ゴム系粘着剤によって構成されていることが望ましい。
【００２０】
本実施例における保護フィルムＡは、基材フィルムにはポリエステル系樹脂であるポリエチレンテレフタレート（ＰＥＴ）が用いられ、粘着剤層にはアクリル系粘着剤が用いられている。基材フィルムは、透明性に優れ、高強度、高弾性であることが求められるので、ポリエチレンテレフタレートが最も適している。粘着剤層は、時間の経過による粘着度の増減を一定にする必要があるので、分子量が大きく、架橋度の高いアクリル系粘着剤が最も適している。なお、粘着剤層に用いられるアクリル系粘着剤とは、アクリル系共重合体を、粘着性を失わない程度に、イソシアネート化合物やメチロール化合物で架橋三次元化して凝集力を高めたものが一般的である。
【００２１】
かかる構成の保護フィルムＡによれば、耐摩耗性が優れているので、頻繁に打球Ｐが接触する箇所についても使用することができ、構成部品の表面を保護することができる。また、かかる構成の保護フィルムＡは、優れた透明性を有しているので、保護フィルムＡがあることによる違和感を遊技者に感じさせることもない。
【００２２】
以上説明したように、この保護フィルムＡによって、液晶パネルユニット８の表示画面２２ａに傷が付くのを防いだり、表示画面２２ａの表面が劣化するのを防止することができる。しかも、保護フィルムＡを剥がすことによって、表示画面２２ａの表面に付着した汚れを取り除くことができる。よって、使用中のパチンコ遊技機１の美観を保つことができると共に、長期間使用したパチンコ遊技機１から液晶パネルユニット８を取り外して、その液晶パネルユニット８を新規に製作されるパチンコ遊技機１に再利用することができる。
【００２３】
なお、本実施例では、液晶パネルユニット８の表示画面２２ａの前面に保護フィルムＡを貼付したが、遊技盤３に取着されたセンターフレーム９ａ側に液晶パネルユニット８を保護するためのガラス板（図示せず）などの部材が配設されている場合には、そのガラス板の前面にも保護フィルムＡを貼付しても良い。このように、ガラス板の前面に保護フィルムＡを貼付することによって、ガラス板に傷が付いたり、汚れが付着するのを防ぐことができるので、パチンコ遊技機１の美観を維持することができる。
【００２４】
図３に、パチンコ遊技機１から取り外された遊技盤３の正面図を示す。遊技盤３は、その基盤となるベニヤ板の上面に文字や模様が描かれた化粧板を貼り付けることによって構成されている。化粧板は、その台紙となる紙の上に白色の下地を塗り、その下地の上に文字や模様を印刷した後に、その上面にセルロイドなどによって形成された透明部材を密着させることによって形成されている。
【００２５】
特定のパチンコ遊技機１が人気機種となって、長期にわたって使用された場合、遊技盤３の表面は金属製の打球（遊技球）Ｐによって摩耗され、やがて最上面に形成された透明部材が削り取られ、さらに化粧板に描かれた文字や模様の部分までもが削られてしまう。このように、印刷されている文字や模様が削られてしまった遊技盤３は非常に見づらく、パチンコ遊技機１全体の美観を著しく損なってしまう。
【００２６】
そこで、本実施例に示すパチンコ遊技機１では、遊技盤３の遊技領域６内の表面にも、保護フィルムＢ（図３中の網掛け部分）が貼付されている。遊技盤３の表面に貼付される保護フィルムＢは、液晶パネルユニット８の表示画面２２ａに貼付される保護フィルムＡと同じものであっても良いし、別の保護フィルムであっても良い。ただし、液晶パネルユニット８の表示画面２２ａと違って、遊技盤３の表面には絶えず金属製の打球Ｐが接触するので、保護フィルムＢは耐摩耗性を有している必要がある。前述の材質で構成された保護フィルムＡであれば、優れた耐摩耗性を有しているので、遊技盤３の表面にも貼付することができる。本実施例では、保護フィルムＢは１枚のフィルムで形成されているが、遊技盤３の表面から剥がしやすくするために、保護フィルムＢを幾つかに分割しておいても良い。
【００２７】
このように、遊技盤３の表面に保護フィルムＢが貼付されることによって、遊技盤３の表面が打球Ｐの接触によって摩耗したり傷付くのを防ぐことができると共に、遊技盤３の表面が劣化するのを防止することができる。さらに、保護フィルムＢを剥がすことによって、遊技盤３の表面に付着した汚れを取り除くことができる。よって、パチンコ遊技機１を長期間使用しつつ、遊技盤３の表面の美観を保つことができるのである。このように、美観を保ちつつ、パチンコ遊技機１を長期間使用することができれば、パチンコ遊技機１全体、または遊技盤３のみをより健全な状態で中古市場に流通させることも可能になる。
【００２８】
次に、遊技盤３の遊技領域６内の表面へ保護フィルムＢを貼付する方法について説明する。前述のように、遊技盤３の遊技領域６内の表面には、入賞口７、可変表示装置９、図柄作動口１０、可変入賞装置１１、障害釘１２といった遊技盤構成部品３０が多数配設されている。よって、パチンコ遊技機１の製造段階において、遊技盤３の表面全体に保護フィルムＢを貼付してから、遊技盤構成部品３０を遊技盤３に取着した場合、保護フィルムＢが遊技盤構成部品３０の下敷きになる部分がある。つまり、遊技盤３の表面から保護フィルムＢを剥離させる際には、この下敷きになった部分が障害となって、保護フィルムＢを遊技盤３の表面から円滑に剥がすことができない。
【００２９】
このため、本実施例では、図４（ａ），（ｂ）に示す保護フィルムＣ，Ｄを使用している。なお、図４（ａ），（ｂ）は、遊技盤３の表面に貼付される保護フィルムＣ，Ｄのみを示した正面図である。
【００３０】
図４（ａ）は、遊技盤構成部品３０と干渉する箇所に、あらかじめ孔Ｃ１をあけた保護フィルムＣの正面図である。この保護フィルムＣには、遊技盤３の表面に配設される入賞口７、可変表示装置９、図柄作動口１０、可変入賞装置１１、障害釘１２などといった遊技盤構成部品３０の外形をかたどった孔Ｃ１が設けられている。かかる構成によれば、保護フィルムＣのうち遊技盤構成部品３０の下敷きになる部分がなくなるため、保護フィルムＣをそのまま遊技盤３の表面から剥がすことができる。
【００３１】
図４（ｂ）は、遊技盤構成部品３０の外形に沿ってミシン目Ｄ１が入れられた保護フィルムＤの正面図である。この保護フィルムＤには、遊技盤３の表面に配設される入賞口７、可変表示装置９、図柄作動口１０、可変入賞装置１１、障害釘１２などといった遊技盤構成部品３０の外形に沿って、ミシン目Ｄ１が入れられている。かかる構成によれば、保護フィルムＤが遊技盤構成部品３０の下敷きになる部分があっても、保護フィルムＤを遊技盤３の表面から剥がす際には、遊技盤構成部品３０の外形に沿ったミシン目Ｄ１の部分で保護フィルムＤを切断することができるので、保護フィルムＤの一部が遊技盤構成部品３０の下敷きになっていても、下敷きになっていない部分（外面に露出している部分）については、遊技盤３の表面から円滑に剥がすことができる。
【００３２】
なお、この保護フィルムＤを使用すると、遊技領域６内の遊技盤３の全面に保護フィルムＤが貼付されることになるため、入賞口７や図柄作動口１０、可変入賞装置１１などへ入った打球Ｐを遊技盤３の裏面側へ通過させるための遊技盤貫通孔３ａが保護フィルムＤにより塞がれてしまう。しかし、遊技盤３を以下に示す方法によって製造することにより、かかる不具合を解消することができる。
【００３３】
まず、遊技盤貫通孔３ａの孔あけ加工が施されていないベニヤ板に、文字や模様が描かれた化粧板を貼り付けて遊技盤３を形成する。続いて、この遊技盤３の表面に保護フィルムＤを貼付する。そして、この保護フィルムＤが貼付された状態の遊技盤３に、遊技盤貫通孔３ａの孔あけ加工を施すのである。そして、最後に遊技盤構成部品３０を遊技盤３の表面に取着する。かかる製造方法によれば、打球Ｐを遊技盤３の裏面側へ通過させるための遊技盤貫通孔３ａを保護フィルムＤが塞いでしまうことはない。
【００３４】
図５は、台板３２の下面に刃部３３を有する遊技盤構成部品３０の側断面図である。遊技盤３の表面には、多層（図５においては２層）の保護フィルムＥが貼付されている。図５の上方の保護フィルムＥは、上層側の保護フィルムＥが矢印方向へ引っ張られることにより、遊技盤３の表面から剥がされつつある状態を示している。
【００３５】
この図５における保護フィルムＥは、図４（ｂ）に示した保護フィルムＤと同様の製造方法によって遊技盤３の表面に貼付される。即ち、打球Ｐを遊技盤３の裏面側へ通過させるための遊技盤貫通孔３ａは、保護フィルムＥが貼付された状態の遊技盤３に孔あけ加工を施すことによって形成されるのである。よって、遊技盤貫通孔３ａは、保護フィルムＥによって塞がれることなく、遊技盤３の表側から裏側へ完全に貫通している。
【００３６】
遊技盤構成部品３０は、遊技盤３の表面側へ突設されている部品本体３１と、その部品本体３１の底部に部品本体３１よりも正面視において幅広に形成されると共に、略板状に延出される台板３２とから構成されている。台板３２には、ネジ３４を貫通させるための台板孔３２ｂが穿設されており、遊技盤３の表面側には、この台板孔３２ｂに対応する位置に、めねじ孔３ｂが穿設されている。よって、ネジ３４を台板孔３２ｂにそれぞれ貫通させ、ネジ３４を螺合方向へ回転させて、めねじ孔３ｂに螺入することによって、遊技盤構成部品３０を遊技盤３へ着脱可能に螺着することができる。
【００３７】
部品本体３１の内部は、打球（遊技球）Ｐを取り込む（入賞させる）ために略中空枠状に形成されており、その上面部は開放されている。前述のように、遊技盤３には、打球Ｐを遊技盤３の裏面側へ通過させるための遊技盤貫通孔３ａが穿設されているが、台板３２の略中央には、その遊技盤貫通孔３ａへ通じる位置に台板貫通孔３２ａが穿設されている。よって、部品本体３１の内部へ取り込まれた打球Ｐは、台板貫通孔３２ａおよび遊技盤貫通孔３ａを通過して、遊技盤３の裏面側へ移動することができる。
【００３８】
遊技盤構成部品３０の底部に形成された台板３２の底面の外周縁部には、その先端部分に鋭い刃が形成された刃部３３が周設されている。遊技盤構成部品３０を遊技盤３へ取着する際に、ネジ３４がめねじ孔３ｂに螺入されることによって、台板３２が遊技盤３へ押さえつけられるが、この時に刃部３３によって保護フィルムＥが遊技盤構成部品３０の台板３２の外形に沿って切断される。このため、保護フィルムＥが遊技盤３の表面から剥がされる際には、外面に露出している部分の保護フィルムＥだけが剥離されるのである。
【００３９】
よって、遊技盤３の表面に保護フィルムＥを貼付してから遊技盤構成部品３０を遊技盤３に取着しても、外面に露出している部分の保護フィルムＥについては、遊技盤３の表面から円滑かつ容易に剥がすことができる。このように、各遊技盤構成部品３０の台板３２の底面に、保護フィルムＥを切断するための刃部３３を備えていれば、保護フィルムＥに孔Ｃ１やミシン目Ｄ１を設ける必要がない。よって、パチンコ遊技機１に配設される遊技盤構成部品３０の種類（形状）に関係なく、保護フィルムＥを同一の型にして大量生産することができるので、保護フィルムＥの製造コストを低減させることができる。
【００４０】
なお、遊技盤３の表面に形成される保護フィルムＢは、剥離時に容易に破れる材質で構成されていても良い。かかる構成によれば、保護フィルムＢに特別な加工を施したり、遊技盤構成部品３０に特殊な部材を配設することなく、遊技盤３の表面から保護フィルムＢを円滑に剥がすことができる。この場合にも、保護フィルムＢは耐摩耗性を有していることが望ましい。
【００４１】
以上説明したように、本実施例のパチンコ遊技機１は、パチンコ遊技機１に配設された構成部品３，２２ａの表面に、剥離可能な保護フィルムＡ〜Ｅを形成しているので、パチンコ遊技機１の使用中に構成部品３，２２ａの表面に傷や汚れが付くのを防ぐことができる。しかも、保護フィルムＡ〜Ｅの表面に付いた傷や汚れは、この保護フィルムＡ〜Ｅを剥がすことにより、取り除くことができる。よって、パチンコ遊技機１を長期間使用しつつ、各構成部品３，２２ａの美観を保つことができると共に、営業用としての使用が終了した後、所望の構成部品３，２２ａを取り外して、新規に製作されるパチンコ遊技機１に再利用することができるのである。
【００４２】
以上、実施例に基づき本発明を説明したが、本発明は上記実施例に何ら限定されるものではなく、本発明の趣旨を逸脱しない範囲内で種々の改良変形が可能であることは容易に推察できるものである。
【００４３】
例えば、上記実施例では、液晶パネルユニット８の表示画面２２ａの表面、および、遊技盤３の遊技領域６内の表面に保護フィルムＡ〜Ｅを形成したが、保護フィルムＡ〜Ｅを遊技盤３の表面に配設される遊技盤構成部品３０の表面に形成しても良い。かかる構成によれば、遊技盤構成部品３０の表面に傷が付くのを防いだり、遊技盤構成部品３０の表面が劣化するのを防止することができると共に、保護フィルムＡ〜Ｅを剥がすことによって、遊技盤構成部品３０の表面に付着した汚れを取り除くことができる。よって、長期間使用したパチンコ遊技機１から遊技盤構成部品３０を取り外して、その遊技盤構成部品３０を新規に製作されるパチンコ遊技機１に再利用することができる。また、パチンコ遊技機１を長期間使用しつつ、遊技盤３全体の美観を保つことができる。このように、美観を保ちつつ、パチンコ遊技機１を長期間使用することができれば、パチンコ遊技機１全体、または遊技盤３のみをより健全な状態で中古市場に流通させることができるのである。
【００４４】
また、その他の部分として、上皿１５、下皿１６、前面枠２、前面扉板１４、操作ハンドル１７など、遊技者から見える部分の構成部品２，１４，１５，１６，１７の表面に保護フィルムＡ〜Ｅを形成しても良い。かかる構成によれば、これらの構成部品２，１４，１５，１６，１７の美観を保ちつつ、パチンコ遊技機１を長期間使用することができる。
【００４５】
なお、保護フィルムＡ〜Ｅを形成する場所としては、遊技者から見える部分だけに限らず、遊技者からは見えない場所であっても良い。例えば、前面扉板１４の内部には発射レール（図示せず）が配設されているが、その発射レールには遊技球Ｐが頻繁に接触するので、発射レールの表面に保護フィルムＡ〜Ｅを形成しても良い。かかる構成によれば、遊技球Ｐが頻繁に接触する部分が局所的に傷むのを防ぐことができるので、パチンコ遊技機１を長期間使用することができる。
【００４６】
以下に本発明の変形例を示す。複数の構成部品が各所に配設された遊技機において、前記構成部品の表面には剥離可能な保護フィルムが形成されていることを特徴とする遊技機０。この保護フィルムは、全ての構成部品の表面に形成されても良く、また、所定の１乃至２以上の構成部品の表面に形成されても良い。遊技機０によれば、遊技機に配設された構成部品の表面には剥離可能な保護フィルムが形成されているので、遊技機の使用中に構成部品の表面に傷や汚れが付くのを防ぐことができる。しかも、保護フィルムの表面に付いた傷や汚れは、この保護フィルムを剥がすことにより、取り除くことができる。よって、遊技機を長期間使用しつつ、各構成部品の美観を保つことができると共に、営業用としての使用が終了した後、所望の構成部品を取り外して、新規に製作される遊技機に再利用することができるという効果がある。
遊技機０において、前記保護フィルムは多層に形成されていることを特徴とする遊技機１。かかる保護フィルムによれば、数回にわたって保護フィルムを剥がすことができるので、構成部品の表面に付着した汚れを頻繁に取り除くことができる。よって、長期間にわたって遊技機の美観を保つことができる。
【００４７】
遊技機０又は１において、前記保護フィルムは、液晶パネルユニットの表示画面の表面に形成されることを特徴とする遊技機２。かかる構成によれば、液晶パネルユニットの表示画面に傷が付くのを防いだり、表示画面の表面が劣化するのを防止することができると共に、保護フィルムを剥がすことによって、表示画面の表面に付着した汚れを取り除くことができる。よって、長期間使用した遊技機から液晶パネルユニットを取り外して、その液晶パネルユニットを新規に製作される遊技機に再利用することができる。
【００４８】
遊技機０又は１において、前記保護フィルムは、遊技盤の表面に形成されることを特徴とする遊技機３。かかる構成によれば、遊技盤の表面に傷が付くのを防いだり、遊技盤の表面が劣化するのを防止することができると共に、保護フィルムを剥がすことによって、遊技盤の表面に付着した汚れを取り除くことができる。
【００４９】
遊技機３において、前記保護フィルムは、遊技盤の表面に構成部品が配設されていても容易に剥離できるような切り込み部を有していることを特徴とする遊技機４。この切り込み部には、孔やミシン目、あるいは切り込み線を入れただけのものも含まれる。例えば、切り込み線を入れただけの保護フィルムでは、遊技盤の表面に配設された構成部品よりも内側に切り込み線を形成させても良い。かかる保護フィルムを剥がす場合には、外面に露出している部分については通常通りに剥がし、構成部品の下敷きになっている部分に関しては、保護フィルムを構成部品の外方へ引っ張ることによって剥がす。かかる構成によれば、保護フィルムの縁端部が構成部品の下敷きになっているので、遊技機の使用時に遊技盤の表面から保護フィルムの縁端部が剥離してしまうのを防ぐことができる。
【００５０】
遊技機４において、前記保護フィルムは、遊技盤の表面に配設される構成部品の外形をかたどった孔を備えていることを特徴とする遊技機５。かかる構成によれば、保護フィルムをそのまま遊技盤の表面から剥がすことができる。
【００５１】
遊技機４において、前記保護フィルムには、遊技盤の表面に配設される構成部品の外形に沿ってミシン目が入れられていることを特徴とする遊技機６。かかる構成によれば、遊技盤の表面に保護フィルムを形成してから構成部品を遊技盤に取着しても、構成部品の外形のミシン目に沿って保護フィルムが切断されるので、遊技盤の表面から保護フィルムを容易に剥がすことができる。
【００５２】
遊技機３において、遊技盤上に配設される構成部品は、底面の外周縁部に刃部を備えていることを特徴とする遊技機７。かかる構成によれば、遊技盤の表面に保護フィルムを形成してから構成部品を遊技盤に取着しても、構成部品の底面の外周縁部に設けられた刃部によって保護フィルムが切断されるので、遊技盤の表面から保護フィルムを容易に剥がすことができる。
【００５３】
遊技機０又は１において、前記保護フィルムは、遊技盤の表面に配設される構成部品の表面に形成されることを特徴とする遊技機８。なお、保護フィルムが形成される構成部品としては、上皿、下皿、前面枠、前面扉板、操作ハンドルなどが例示される。
【００５４】
遊技機０から８のいずれかにおいて、前記保護フィルムは、基材フィルムがポリエステル系、ポリエチレン系、ポリプロピレン系、ビニル系、ポリアミド系、ポリイミド系樹脂のいずれかによって構成され、粘着剤層がアクリル系粘着剤、または、ゴム系粘着剤によって構成されていることを特徴とする遊技機９。特に、基材フィルムとしては、ポリエステル系樹脂を用いるのが好ましく、その中でも特に、透明性に優れ、高強度、高弾性であるポリエチレンテレフタレート（ＰＥＴ）が適している。粘着剤層としては、時間の経過による粘着度の増減を一定にする必要があるので、分子量が大きく、架橋度の高いアクリル系粘着剤が適している。かかる構成の保護フィルムによれば、耐摩耗性が優れているので、頻繁に打球（遊技球）が接触する箇所についても使用することができ、構成部品の表面を保護することができる。また、かかる構成の保護フィルムは透明性も有しているので、保護フィルムがあることによる違和感を遊技者に感じさせることもない。
【００５５】
遊技機０から８のいずれかにおいて、前記保護フィルムは、液状のコーティング剤によって形成されていることを特徴とする遊技機１０。かかる方式によれば、複雑な凹凸面や曲面にも容易に保護フィルムを形成することができる。
【００５６】
【発明の効果】請求項１記載の遊技機によれば、構成部品が配設される遊技盤の表面には剥離可能な保護フィルムが形成されているので、遊技盤の表面に傷が付くのを防いだり、遊技盤の表面が劣化するのを防止することができるという効果がある。また、保護フィルムを剥がすことによって、遊技盤の表面に付着した汚れを取り除くことができるという効果がある。よって、遊技機を長期間使用しつつ、遊技盤の美観を保つことができると共に、営業用としての使用が終了した後、遊技盤を取り外して、新規に製作される遊技機に再利用することができるという効果がある。
請求項２記載の遊技機によれば、請求項１記載の遊技機の奏する効果に加え、保護フィルムは切り込み部を有しているので、遊技盤の表面に構成部品が配設されていても、その保護フィルムを容易に剥離することができるという効果がある。
【図面の簡単な説明】
【図１】本発明の実施例であるパチンコ遊技機の正面図である。
【図２】遊技盤から取り外された液晶パネルユニットの外観斜視図である。
【図３】パチンコ遊技機から取り外された遊技盤の正面図である。
【図４】（ａ）は、構成部品と干渉する箇所にあらかじめ孔をあけた保護フィルムの正面図であり、（ｂ）は、構成部品の外形に沿ってミシン目を入れた保護フィルムの正面図である。
【図５】台板の下面に刃部を有する構成部品の側断面図である。
【符号の説明】
１                    パチンコ遊技機
２                    前面枠（構成部品の一部）
３                    遊技盤（構成部品の一部）
４                    外レール（構成部品の一部）
５                    内レール（構成部品の一部）
７                    入賞口（構成部品の一部）
８                    液晶パネルユニット（構成部品の一部）
９                    可変表示装置（構成部品の一部）
９ａ                  センターフレーム（構成部品の一部）
１０                  図柄作動口（構成部品の一部）
１１                  可変入賞装置（構成部品の一部）
１２                  障害釘（構成部品の一部）
１３                  アウト口（構成部品の一部）
１４                  前面扉板（構成部品の一部）
１５                  上皿（構成部品の一部）
１６                  下皿（構成部品の一部）
１７                  操作ハンドル（構成部品の一部）
２２                  液晶パネル（構成部品の一部）
２２ａ                表示画面（構成部品の一部）
３０                  遊技盤構成部品（構成部品の一部）
Ａ〜Ｅ                保護フィルム